(57)【要約】【課題】回動片を有するシリンダ錠を内ネジ付の錠箱取付凹部に取り付けできるようにし、回動片付シリンダ錠の汎用性を向上させる。【解決手段】後端面11に回動片13の突出した錠本体を、底面に前記回動片13の係合する入力部材が配置された錠箱の内ネジ付取付凹部に螺着するシリンダ錠の取付構造であって、錠箱に設けられ取付凹部の軸線に直交方向で移動される回転規制杆と、内ネジに螺合する外ネジ57ａを外周に有するとともに化粧リング29と一体回転する螺着筒ユニット31と、錠本体を有し螺着筒ユニット31に挿着される本体ユニット33とを備え、螺着筒ユニット31は、内周面に突設した係止突起35と、回転規制杆の先端が挿入される回転規制溝37とを有し、本体ユニット33は、回動片13が入力部材に係合する挿入位置で係止突起35に係止して螺着筒ユニット31からの抜脱を規制する係止溝と、回転規制杆の先端が挿入される嵌入部41とを有する。【選択図】      図１
2009144396.tif 000002
【特許請求の範囲】
【請求項１】
後端面に回動片の突出した錠本体を、底面に前記回動片の係合する入力部材が配置された錠箱の内ネジ付取付凹部に螺着するシリンダ錠の取付構造であって、
前記錠箱に設けられ前記取付凹部の軸線に直交方向で移動され該取付凹部内に突出する回転規制杆と、前記内ネジに螺合する外ネジを外周に有するとともに化粧リングと一体回転する螺着筒ユニットと、前記錠本体を有し該螺着筒ユニットに挿着される本体ユニットと、を備え、
前記螺着筒ユニットは、内周面に突設した係止突起と、前記回転規制杆の先端が挿入される回転規制溝と、を有し、
前記本体ユニットは、前記回動片が前記入力部材に係合する挿入位置で前記係止突起に係止して前記螺着筒ユニットからの抜脱を規制する係止溝と、前記回転規制杆の先端が挿入される嵌入部と、を有したことを特徴とするシリンダ錠の取付構造。
【請求項２】
前記本体ユニットが、前記錠本体の外周に装着される外装筒を有し、
該外装筒に、前記係止溝が形成され、
該係止溝が、前記外装筒の後端から軸線方向に沿って形成され前記係止突起をスライド挿入させる直線溝部の先端部に設けられたＬ字溝部であることを特徴とする請求項１記載のシリンダ錠の取付構造。
【請求項３】
前記入力部材が、所定の回転角度範囲内で前記回動片と係合するダルマ穴を有し、
前記係止突起に前記直線溝部をスライド挿入させ該係止突起を前記Ｌ字溝部へ配置して前記螺着筒ユニットから前記外装筒を抜脱規制する該外装筒の回転角度が、前記ダルマ穴の前記所定の回転角度範囲より小さいことを特徴とする請求項２に記載のシリンダ錠の取付構造。
【請求項４】
前記螺着筒ユニットが、前記係止突起と、前記回転規制溝の形成されたネジ筒を有し、
前記回転規制溝に、前記化粧リングから突出した係合片が挿入されて該化粧リングと前記ネジ筒が一体回転することを特徴とする請求項１，２，３のいずれか１つに記載のシリンダ錠の取付構造。
【発明の詳細な説明】
【技術分野】
【０００１】
本発明は、後端面に回動片の突出した錠本体を、錠箱の内ネジ付取付凹部に螺着するシリンダ錠の取付構造に関し、特に、螺着筒ユニットと本体ユニットを別体にすることでねじ込み式錠箱への回動片付シリンダ錠の取付を可能とする改良技術に関する。
【背景技術】
【０００２】
扉室外面に表出するシリンダ錠と、扉内に内蔵される錠箱からなる施錠装置は、錠箱が取り付けられた後、シリンダ錠が取り付けられる。このようなシリンダ錠の取付構造には、錠箱に設けられた内ネジ付の取付凹部に、シリンダ錠後端部の外周に形成した外ネジを螺着することで、シリンダ錠を錠箱に取り付けるものがある。一般的に、シリンダ錠の後端面には回動片、所謂、テールピースが突出され、回動片はシリンダ錠に挿入された合鍵の回転に伴って回転される。シリンダ錠は、錠箱に取り付けられた状態で、この回動片が錠箱取付凹部の底面に配置される入力部材、所謂、ダルマに係合する。これにより、合鍵の施解錠操作回転が回動片を介して入力部材に伝わり、錠箱内の施解錠機構を作動させる。
【０００３】
ところで、上記したねじ込み式のシリンダ錠では、回動片が後端面から突出されていない。その代わりに鍵穴に挿入された合鍵の先端が後端面から突出され、錠箱取付凹部の入力部材に係合するようになっている。したがって、ねじ込み式シリンダ錠を、錠箱取付凹部の内ネジに螺合する過程では、後端面に回動片が突出していないため、ねじ込み途中で回動片が入力部材に干渉することがなく、最終ねじ込み位置までシリンダ錠をねじ込んで螺着することが可能となった。
【発明の開示】
【発明が解決しようとする課題】
【０００４】
しかしながら、シリンダ錠ねじ込み式の施錠装置において、より防犯性の高いシリンダ錠である、回動片を有するシリンダ錠へ交換したい場合、単にシリンダ錠の後部外周に外ネジを設けるのみでは、シリンダ錠を錠箱取付凹部の内ネジにねじ込む途中で、回動片が入力部材に干渉してしまい、最終ねじ込み位置までシリンダ錠をねじ込めず取付が不可能となった。これに対し、錠箱まで交換すれば、交換作業労力が増大するとともに、部品コストも増大した。このため、内ネジ付の錠箱取付凹部に対し、回動片を有するシリンダ錠を取付可能にするシリンダ錠取付構造の開発要請があった。
【０００５】
本発明は上記状況に鑑みてなされたもので、回動片を有するシリンダ錠を内ネジ付の錠箱取付凹部に取り付けできるシリンダ錠の取付構造を提供し、もって、回動片付シリンダ錠の汎用性向上を図ることを目的とする。
【課題を解決するための手段】
【０００６】
次に、上記の課題を解決するための手段を、実施の形態に対応する図面を参照して説明する。
本発明の請求項１記載のシリンダ錠の取付構造は、後端面１１に回動片１３の突出した錠本体１５を、底面１７に前記回動片１３の係合する入力部材１９が配置された錠箱２１の内ネジ付取付凹部２５に螺着するシリンダ錠の取付構造であって、
前記錠箱２１に設けられ前記取付凹部２５の軸線に直交方向で移動され該取付凹部２５内に突出する回転規制杆２７と、前記内ネジ２３に螺合する外ネジ５７ａを外周に有するとともに化粧リング２９と一体回転する螺着筒ユニット３１と、前記錠本体１５を有し該螺着筒ユニット３１に挿着される本体ユニット３３と、を備え、
前記螺着筒ユニット３１は、内周面に突設した係止突起３５と、前記回転規制杆２７の先端が挿入される回転規制溝３７と、を有し、
前記本体ユニット３３は、前記回動片１３が前記入力部材１９に係合する挿入位置で前記係止突起３５に係止して前記螺着筒ユニット３１からの抜脱を規制する係止溝３９と、前記回転規制杆２７の先端が挿入される嵌入部４１と、を有したことを特徴とする。
【０００７】
このシリンダ錠の取付構造では、錠箱２１の取付凹部２５に予め螺着筒ユニット３１がねじ込まれ、その先端開口から係止突起３５に直線溝部６９を一致させて本体ユニット３３が直線挿入され、本体ユニット３３の後端面１１に突出した回動片１３が入力部材１９に係合される。この係合状態のまま本体ユニット３３が僅かに回転されることで、係止突起３５に係止溝３９が係止して（引っ掛かって）螺着筒ユニット３１からの本体ユニット３３の抜脱が規制される。また、回転規制溝３７と嵌入部４１とに回転規制杆２７が挿入されて、錠箱２１に対する螺着筒ユニット３１と本体ユニット３３とが取り付け固定となる。
【０００８】
請求項２記載のシリンダ錠の取付構造は、前記本体ユニット３３が、前記錠本体１５の外周に装着される外装筒６７を有し、
該外装筒６７に、前記係止溝３９が形成され、
該係止溝３９が、前記外装筒６７の後端から軸線方向に沿って形成され前記係止突起３５をスライド挿入させる直線溝部６９の先端部に設けられたＬ字溝部７１であることを特徴とする。
【０００９】
このシリンダ錠の取付構造では、請求項１のより具体的な構成による作用として、先行して既に錠箱２１の取付凹部２５に螺着されている螺着筒ユニット３１の先端開口から、螺着筒ユニット３１の係止突起３５に直線溝部６９を一致させて本体ユニット３３が直線挿入され、係止突起３５が直線溝部６９の終端６９ａに到達した状態で、本体ユニット３３が回転されと、係止突起３５がＬ字溝部７１に引っ掛かり、本体ユニット３３の螺着筒ユニット３１からの抜脱が規制される。
【００１０】
請求項３記載のシリンダ錠の取付構造は、前記入力部材１９が、所定の回転角度範囲α内で前記回動片１３と係合するダルマ穴１９ａを有し、
前記係止突起３５に前記直線溝部６９をスライド挿入させ該係止突起３５を前記Ｌ字溝部７１へ配置して前記螺着筒ユニット３１から前記外装筒６７を抜脱規制する該外装筒６７の回転角度が、前記ダルマ穴１９ａの前記所定の回転角度範囲αより小さいことを特徴とする。
【００１１】
このシリンダ錠の取付構造では、ダルマ穴１９ａの付与されている所定の回転角度範囲（クリアランス；遊び）αが、本体ユニット３３を抜脱規制する回転動作のための回転空間に利用される。
【００１２】
請求項４記載のシリンダ錠の取付構造は、前記螺着筒ユニット３１が、前記係止突起３５と、前記回転規制溝３７の形成されたネジ筒５７を有し、
前記回転規制溝３７に、前記化粧リング２９から突出した係合片５９が挿入されて該化粧リング２９と前記ネジ筒５７が一体回転することを特徴とする。
【００１３】
このシリンダ錠の取付構造では、化粧リング２９が回転されると、ネジ筒５７が化粧リング２９と同期して回転され、ネジ筒５７が化粧リング２９と係合維持したままねじ込みに伴って後方へ徐々に相対移動される。つまり、化粧リング２９とネジ筒５７が、相対回転不能に規制されながら軸線方向に移動自在となる。
【発明の効果】
【００１４】
本発明に係る請求項１記載のシリンダ錠の取付構造によれば、錠箱に設けられ取付凹部の軸線に直交方向で移動される回転規制杆と、内ネジに螺合する外ネジを外周に有するとともに化粧リングと一体回転する螺着筒ユニットと、錠本体を有し螺着筒ユニットに挿着される本体ユニットとを備えたので、螺着筒ユニットのみを回転させることで錠本体を回転させずに先に螺着筒ユニットを錠箱に螺着でき、回動片を姿勢保持したまま本体ユニットを錠箱の入力部材に係合させ、この係合状態のまま本体ユニットを僅かに回転させることで、係止突起に係止溝を係止して螺着筒ユニットからの本体ユニットの抜脱を規制できる。この結果、ねじ込み式錠箱への回動片付シリンダ錠の取付を可能にでき、回動片付シリンダ錠の汎用性を向上させることができる。
【００１５】
請求項２記載のシリンダ錠の取付構造によれば、本体ユニットに外装筒を装着し、外装筒には係止溝を形成し、この係止溝を、係止突起をスライド挿入させる直線溝部の先端部に設けたＬ字溝部としたので、先行して既に錠箱の取付凹部に螺着されている螺着筒ユニットの先端開口から、螺着筒ユニットの係止突起に直線溝部を一致させて本体ユニットを直線挿入し、係止突起を直線溝部の終端に到達させた状態で、本体ユニットを回転させることで、係止突起をＬ字溝部に引っ掛けて、本体ユニットの螺着筒ユニットからの抜脱を規制することができる。
【００１６】
請求項３記載のシリンダ錠の取付構造によれば、入力部材が所定の回転角度範囲内で回動片と係合するダルマ穴を有し、係止突起をＬ字溝部へ配置して抜脱規制する外装筒の回転角度をダルマ穴の所定の回転角度範囲より小さくしたので、ダルマ穴の有する所定の回転角度範囲（クリアランス；遊び）を、本体ユニットを抜脱規制するための回転動作に利用でき、本体ユニットの後装着による抜脱規制構造を実現している。
【００１７】
請求項４記載のシリンダ錠の取付構造によれば、螺着筒ユニットが回転規制溝の形成されたネジ筒を有し、この回転規制溝に、化粧リングから突出した係合片を挿入して化粧リングとネジ筒を一体回転させるので、化粧リングを回転すれば、ネジ筒が化粧リングと同期して回転し、ネジ筒を、化粧リングと係合維持させたままねじ込みに伴って後方へ徐々に相対移動させて取付凹部に螺着できる。これにより、付勢手段による扉面への化粧リングの密着取付が可能となる。
【発明を実施するための最良の形態】
【００１８】
以下、本発明に係るシリンダ錠の取付構造の好適な実施の形態を図面を参照して詳細に説明する。
図１は本発明に係る取付構造を有したシリンダ錠の斜視図、図２は錠箱内部の側面図、図３は図１に示したシリンダ錠の縦断面図である。なお、本実施の形態ではシリンダ錠の鍵穴側を前方、シリンダ錠の回動片側を後方として説明する。
本実施の形態に係るシリンダ錠の取付構造は、後端面１１に回動片（テールピース）１３の突出した錠本体１５を、底面１７にテールピース１３の係合する入力部材（ダルマ）１９が配置された錠箱２１の、内ネジ２３付の取付凹部２５に螺着することを目的としている。
【００１９】
そのための主要構成として、本取付構造は、錠箱２１に設けられ取付凹部２５の軸線に直交方向で移動される回転規制杆２７と、化粧リング２９と、内ネジ２３に螺合する外ネジ５７ａを外周に有するとともに化粧リング２９と一体回転する螺着筒ユニット３１と、錠本体１５を有し螺着筒ユニット３１に挿着される本体ユニット３３と、係止突起３５（図４参照）と、回転規制溝３７（図４参照）と、係止溝３９（図４参照）と、嵌入部４１（図４参照）とを備えている。
【００２０】
錠箱２１は、内蔵した施解錠機構によって、図２に示すデッドボルト４３を扉の木口から進退させる。進退機構は、錠本体１５のテールピース１３或いはサムターンからダルマ１９に入力される回動操作力によって、デッドボルト４３を進退動作させる。錠本体１５は、扉に彫り込んだ状態に内蔵され、扉木口を覆うフロント板４５を備える。フロント板４５は、デッドボルト４１を進退させるための穴４７を有している。デッドボルト４３は、この穴４７を通過することで、木口から突出し、錠箱内に後退する。
【００２１】
錠本体１５は、外装部材としての図３に示す外筒４９を有する。外筒４９には内筒５１が回動自在に内設され、内筒５１はロッキングバー５３によって回転が規制・規制解除される。例えばディスクタイプのタンブラーを有する錠本体１５は、合鍵を抜きとった状態でロッキングバー５３がスプリングによって外筒４９の溝（図示せず）に押しつけられ、この状態で内筒５１を回転させようとしても、ロッキングバー５３の後退する切欠がタンブラーにないため、ロッキングバー５３は溝から抜け出ることができず、内筒５１を回転させることができない。
【００２２】
一方、合鍵が差し込まれると、タンブラーは合鍵のきざみによって押され、切欠がロッキングバー５３に一致して整列する。この状態で内筒５１を回転させると、溝とロッキングバー５３のテーパーによって、スプリングに抗してロッキングバー５３が切欠に入り溝から抜け出て、内筒５１を回転させる。外筒５１の外周には溝を内部に形成するための突起５５（図７参照）が外筒４９の軸線方向に沿って突設されている。
【００２３】
図４は螺着筒ユニットの断面視を（ａ）、外装筒の断面視を（ｂ）で表した部品別構成図である。
螺着筒ユニット３１は、後部に外ネジ５７ａの形成されたネジ筒５７と、ネジ筒５７に相対回転不能に外挿された化粧リング２９とを備える。ネジ筒５７の内周面には係止突起３５が突設され、係止突起３５は例えばネジ筒５７の外周面を押圧して突出形成される。ネジ筒５７の後部にはネジ筒５７の軸線に沿う直線状の回転規制溝３７が形成され、回転規制溝３７は後端がネジ筒５７の後端で開放される。この回転規制溝３７には、錠箱２１に設けられる回転規制杆２７の先端が挿入される。
【００２４】
回転規制溝３７には化粧リング２９から突出した係合片５９が挿入され、係合片５９は化粧リング２９とネジ筒５７を一体回転させる。化粧リング２９が回転されると、ネジ筒５７が化粧リング２９と同期して回転され、ネジ筒５７が化粧リング２９と係合維持したままねじ込みに伴って後方へ徐々に相対移動される。つまり、化粧リング２９とネジ筒５７が、相対回転不能に規制されながら軸線方向に移動自在となっている。
【００２５】
ネジ筒５７の先端には図３に示す表出穴６１を有した飾り筒６３が被せられて固定される。化粧リング２９は、ネジ筒５７の後端から挿入されてこの飾り筒６３の外周側に配置される。化粧リング２９は、後端折り曲げ部２９ａと、飾り筒６３の後端面との間に配設された付勢手段であるバネ６５の付勢力により後方に付勢されるとともに、飾り筒６３前端からの抜けが規制される。化粧リング２９は、ネジ筒５７に対し相対スライド自在となることで、バネ６５により不図示の扉室外面に押付けられて密着取付が可能となっている。
【００２６】
本体ユニット３３は、錠本体１５の外周に装着される図４（ｂ）に示す外装筒６７を有する。外装筒６７は、例えば軸線を移動させた断面で２分割される。外装筒６７には嵌合穴６７ａが形成され、嵌合穴６７ａは錠本体１５の突起５５（図７参照）を嵌入させる。外装筒６７には係止溝３９が形成され、係止溝３９はテールピース１３がダルマ１９に係合する挿入位置で係止突起３５に係止して螺着筒ユニット３１からの本体ユニット３３の抜脱を規制する。本実施の形態において、係止溝３９は、外装筒６７の後端から軸線方向に沿って形成され係止突起３５をスライド挿入させる直線溝部６９の先端部に設けられたＬ字溝部７１として形成される。
【００２７】
既に錠箱２１の取付凹部２５に螺着されている螺着筒ユニット３１の先端開口から、係止突起３５に直線溝部６９を一致させて本体ユニット３３が直線挿入され、係止突起３５が直線溝部６９の終端６９ａに到達した状態で、本体ユニット３３が回転されて、係止突起３５がＬ字溝部７１に引っ掛かり、本体ユニット３３の螺着筒ユニット３１からの抜脱が規制されるようになっている。
【００２８】
また、外装筒６７には回転規制杆２７の先端が挿入される嵌入部４１が穿設され、嵌入部４１は回転規制杆２７の挿入によって外装筒６７を回転規制する。
【００２９】
ダルマ１９は、所定の回転角度範囲内でテールピース１３と係合するダルマ穴１９ａを有する。ダルマ穴１９ａは、一対の扇状部を穴中心を点対称に形成されている。本実施の形態では、係止突起３５に直線溝部６９をスライド挿入させ、係止突起３５をＬ字溝部７１へ配置して螺着筒ユニット３１から外装筒６７を抜脱規制する外装筒６７の回転角度が、ダルマ穴１９ａの所定の回転角度範囲αより小さく設定されている。すなわち、ダルマ穴１９ａに付与されている所定の回転角度範囲（クリアランス；遊び）αが、本体ユニット３３を抜脱規制する回転動作のための回転空間に利用されている。これにより、本体ユニット３３の後装着による抜脱規制構造を実現している。この遊びαが無いと、抜脱規制が完了する前にテールピース１３がダルマ１９と干渉してしまい、係止突起３５をＬ字溝部７１へ進入させる回転が不十分となり、抜脱規制構造が実現しない。
【００３０】
また、回転規制杆２７は、図２に示すように、錠箱２１に設けられ、取付凹部２５の軸線に直交方向で移動される。移動は、錠箱取付板７３に表出するビス頭部７５をドライバ７７（図１０参照）にて回動することにより行われる。ビス頭部７５の調整終了した錠箱取付板７３の表面はフロント板４５にて覆われる。
【００３１】
次に、上記の構成を有する取付構造の作用を説明する。
図５は錠箱取付工程の取付手順説明図、図６は螺着筒ユニットねじ込み工程の取付手順説明図、図７は螺着筒ユニット回転位置合わせ工程の取付手順説明図、図８は本体ユニット挿入工程の取付手順説明図、図９は本体ユニット抜脱規制工程の取付手順説明図、図１０は回転規制杆による回転規制工程の取付手順説明図である。
図５に示すように、扉８１に形成された錠箱収容空間８３に、錠箱２１を木口開口８５から挿入し、錠箱取付板７３をビス８７，８７にて木口８９に固定する。扉８１の室外面８１ａには錠箱２１の取付凹部２５と一致する取付穴９１を穿設しておく。図６に示すように、螺着筒ユニット３１の後端（ネジ筒５７の後端）を取付穴９１へ挿入し、取付凹部２５に一致させる。
【００３２】
次いで、図６に示すように、化粧リング２９を回転することで、ネジ筒５７を一体回転する。ネジ筒５７の外ネジ５７ａが取付凹部２５の内ネジ２３に掛ると化粧リング２９を回すことで、ネジ筒５７は錠箱２１にねじ込まれる。螺着筒ユニット３１は、完全にねじ込んだ後、回転規制溝３７が側部に配置されるように戻す。これにより、回転規制溝３７が回転規制杆２７に一致するとともに、係止突起３５が所定位置に配置される。
【００３３】
図７に示すように、ねじ込み完了した螺着筒ユニット３１の先端開口から、係止突起３５に直線溝部６９を一致させて本体ユニット３３を直線挿入する。図８に示した挿入完了状態で、本体ユニット３３の後端面１１に突出したテールピース１３がダルマ穴１９ａに係合される。この係合状態のまま図９に示すように、本体ユニット３３をａ方向に僅かに回転することで、係止突起３５に係止溝３９、すなわち、Ｌ字溝部７１が係止して（引っ掛かって）螺着筒ユニット３１からの本体ユニット３３の抜脱、すなわち軸線方向の移動が規制される。また、この状態で嵌入部４１が回転規制溝３７と一致する。
【００３４】
本体ユニット３３を抜脱規制したなら、図１０に示すように、ビス頭部７５をドライバ７７で回す。これにより、錠箱２１の回転規制杆２７がネジ筒５７の回転規制溝３７及び外装筒６７の嵌入部４１に貫通し、螺着筒ユニット３１、本体ユニット３３の回転が規制され、錠本体１５の取付けが完了する。
【００３５】
したがって、上記のシリンダ錠の取付構造によれば、錠本体１５に設けられ取付凹部２５の軸線に直交方向で移動される回転規制杆２７と、内ネジ２３に螺合する外ネジ５７ａを外周に有するとともに化粧リング２９と一体回転する螺着筒ユニット３１と、錠本体１５を有し螺着筒ユニット３１に挿着される本体ユニット３３とを備えたので、螺着筒ユニット３１のみを回転させることで錠本体１５を回転させずに先に螺着筒ユニット３１を錠本体１５に螺着でき、テールピース１３を姿勢保持したまま本体ユニット３３を錠本体１５のダルマ１９に係合させ、この係合状態のまま本体ユニット３３を僅かに回転させることで、係止突起３５に係止溝３９を係止して螺着筒ユニット３１からの本体ユニット３３の抜脱を規制できる。この結果、ねじ込み式錠箱２１への回動片付シリンダ錠の取付を可能にでき、回動片付シリンダ錠の汎用性を向上させることができる。
【図面の簡単な説明】
【００３６】
【図１】本発明に係る取付構造を有したシリンダ錠の斜視図である。
【図２】錠箱内部の側面図である。
【図３】図１に示したシリンダ錠の縦断面図である。
【図４】螺着筒ユニットの断面視を（ａ）、外装筒の断面視を（ｂ）で表した部品別構成図である。
【図５】錠箱取付工程の取付手順説明図である。
【図６】螺着筒ユニットねじ込み工程の取付手順説明図である。
【図７】螺着筒ユニット回転位置合わせ工程の取付手順説明図である。
【図８】本体ユニット挿入工程の取付手順説明図である。
【図９】本体ユニット抜脱規制工程の取付手順説明図である。
【図１０】回転規制杆による回転規制工程の取付手順説明図である。
【符号の説明】
【００３７】
１１…後端面
１３…回動片（テールピース）
１５…錠本体
１７…底面
１９…入力部材（ダルマ）
１９ａ…ダルマ穴
２１…錠箱
２３…内ネジ
２５…取付凹部
２７…回転規制杆
２９…化粧リング
３１…螺着筒ユニット
３３…本体ユニット
３５…係止突起
３７…回転規制溝
３９…係止溝
４１…嵌入部
５７…ネジ筒
５７ａ…外ネジ
５９…係合片
６７…外装筒
６９…直線溝部
７１…Ｌ字溝部
α…所定の回転角度範囲
【図１】
2009144396.tif 000003
【図２】
2009144396.tif 000004
【図３】
2009144396.tif 000005
【図４】
2009144396.tif 000006
【図５】
2009144396.tif 000007
【図６】
2009144396.tif 000008
【図７】
2009144396.tif 000009
【図８】
2009144396.tif 000010
【図９】
2009144396.tif 000011
【図１０】
2009144396.tif 000012